(57)【要約】      （修正有）【課題】浴室内をサウナ空間とするミストサウナ装置において、湿度の検知精度を高め、応答性のよい湿度制御を行う。【解決手段】ミストサウナ装置において、浴室の相対湿度を検知する浴室相対湿度検知手段１１４と、相対湿度がミストサウナ装置の駆動状態により上昇方向か、下降方向か、平衡状態か判定を行う浴室湿度傾向判定手段３と、上昇方向または下降方向と判定した場合に浴室相対湿度検知手段１１４により検知した相対湿度に補正を行う浴室相対湿度補正手段４を備えたという構成にしたことにより、相対湿度を精度よく検知でき、応答性のよい湿度制御が可能なミストサウナ装置を得られる。【選択図】図２
2014161471.tif 000002
【特許請求の範囲】
【請求項１】
浴室内の空気を循環するための循環風路内に設けた循環ファンと、浴室内を相対湿度に応じて暖める加熱手段と、浴室内の空気を相対湿度に応じて排気する換気手段と、温水または冷水を浴室の相対湿度に応じて噴霧するミスト噴霧手段と、前記循環ファン、加熱手段、換気手段、ミスト噴霧手段を組み合わせて駆動し、乾燥運転、暖房運転、換気運転、涼風運転、ミストサウナ運転を行う駆動手段と、浴室内温度の検知を行う浴室温度検知手段と、浴室内相対湿度の検知を行う浴室相対湿度検知手段を備え、浴室内相対湿度が上昇方向にあるか、下降方向にあるか、平衡状態にあるかを駆動状態によって判定する浴室湿度傾向判定手段と、浴室湿度傾向判定手段が上昇方向または下降方向と判定した場合に浴室相対湿度検知手段により検知された相対湿度に補正を行う浴室相対湿度補正手段を備えたことを特徴とするミストサウナ装置。
【請求項２】
前記浴室相対湿度補正手段は、前記浴室湿度傾向判定手段により上昇方向と判定した場合は、浴室相対湿度検知手段により検知された相対湿度を平衡状態と判定されるまでは高めに補正し、下降方向と判定した場合は、浴室相対湿度検知手段により検知された相対湿度を平衡状態と判定されるまでは低めに補正することを特徴とする請求項１に記載のミストサウナ装置。
【請求項３】
前記駆動状態とは運転停止、乾燥運転、暖房運転、換気運転、涼風運転、ミストサウナ運転といった運転モードを指し、運転モード毎に相対湿度変化に対し変化が認められる所定時間の基準値を有し、前記浴室湿度傾向判定手段は運転モードの切り替え時に、切り替え前後の運転モードの組み合わせと、切り替え前の運転モードが前記所定時間以上運転したか前記基準値により判断し、浴室内相対湿度が上昇方向にあるか、下降方向にあるか、平衡状態にあるか判定を行い、また、切り替え後の運転モードの運転時間が前記所定時間以上経過した場合は平衡状態と判定することを特徴とする請求項１または請求項２に記載のミストサウナ装置。
【発明の詳細な説明】
【技術分野】
【０００１】
本発明は、浴室内をサウナ空間とするミストサウナ装置の相対湿度の検知方法に関するものである。
【背景技術】
【０００２】
従来、この種のミストサウナ装置は、相対湿度の上昇、下降をみて湿度制御を行うものが知られている（例えば、特許文献１参照）。
【０００３】
以下、そのミストサウナ装置について図７を参照しながら説明する。
【０００４】
図７に示すように、浴室１０１の天井部１０２に設置されたミストサウナ装置１０３は、本体筐体１０４内に取り込むための吸い込み口１０５と、本体筐体１０４内で加熱した空気を浴室１０１内に吹き出すための吹き出し口１０６と、浴室１０１内の空気を循環させる送風手段としての循環ファン１０７と、この循環ファン１０７で循環送風する空気を暖める加熱手段１０８と、浴室１０１の空気を屋外へ排出する換気手段としての換気ファン１０９と、吹き出し口１０６から吹き出す空気の方向を調整する風向変更手段としてのルーバ１１０と、浴室１０１内に温水または冷水を噴霧するミスト噴霧手段１１１と、ミスト噴霧手段１１１に配管を介して温水または冷水を供給する温水／冷水供給手段１１２と、浴室１０１内の温度を検知する浴室温度検知手段１１３と、浴室１０１内の相対湿度を検知する浴室相対湿度検知手段１１４と、前記循環ファン１０７、加熱手段１０８、換気ファン１０９、ルーバ１１０、ミスト噴霧手段１１１を組み合わせて駆動する駆動手段１１５を備えている。
【０００５】
前記浴室温度検知手段１１３、浴室相対湿度検知手段１１４から検知した温度情報、湿度情報に応じて、湿度上昇用の組み合わせ、湿度下降用の組み合わせで駆動手段１１５により出力を可変することで、浴室１０１内の湿度制御を行っている。
【先行技術文献】
【特許文献】
【０００６】
【特許文献１】特開２００７−２２２４３９号公報
【発明の概要】
【発明が解決しようとする課題】
【０００７】
このような従来のミストサウナ装置において、浴室湿度検出手段は高分子抵抗式もしくは高分子容量式の湿度センサが用いられる。
【０００８】
前記湿度センサは図８に示すように浴室温度によって相対湿度が大きく変化するため特許文献１には詳細な記載はないが、何らかの温度補正が行われているのが一般的である。
しかし、同じ浴室温度であっても図９に示すように低湿度状態から高湿度状態に変化する場合と、高湿度状態から低湿度状態に変化する場合でおよそ３〜５％ＲＨほどの差が生じるヒステリシス特性を有する。このヒステリシス特性の主要因は湿度センサの感湿素子の応答遅れによるものであり、いずれは平衡状態の特性に落ち着く。この湿度変化に対するヒステリシス特性を有するために湿度センサの出力変化と浴室温度だけでは少なくとも数％以上の出力変化が起きないと相対湿度が上昇であるか、下降であるかを判定することは困難である。従って確実に上昇である、下降であると判定されるまでに時間がかかってしまい、湿度制御の応答性が悪いという課題を有していた。
【０００９】
そこで本発明は、上記従来の課題を解決するものであり、相対湿度の検知精度が高く、応答性のよい湿度制御が可能であるミストサウナ装置を提供することを目的とする。
【課題を解決するための手段】
【００１０】
そして、この目的を達成するために、本発明は、浴室内の空気を循環するための循環風路内に設けた循環ファンと、浴室内を相対湿度に応じて暖める加熱手段と、浴室内の空気を相対湿度に応じて排気する換気手段と、温水または冷水を浴室の相対湿度に応じて噴霧するミスト噴霧手段と、前記循環ファン、加熱手段、換気手段、ミスト噴霧手段を組み合わせて駆動し、乾燥運転、暖房運転、換気運転、涼風運転、ミストサウナ運転を行う駆動手段と、浴室内温度の検知を行う浴室温度検知手段と、浴室内相対湿度の検知を行う浴室相対湿度検知手段を備え、浴室内相対湿度が上昇方向にあるか、下降方向にあるか、平衡状態にあるかを駆動状態によって判定する浴室湿度傾向判定手段と、浴室湿度傾向判定手段が上昇方向または下降方向と判定した場合に浴室相対湿度検知手段により検知された相対湿度に補正を行う浴室相対湿度補正手段を備えたものであり、これにより所期の目的を達成するものである。
【発明の効果】
【００１１】
本発明によれば、浴室内の空気を循環するための循環風路内に設けた循環ファンと、浴室内を相対湿度に応じて暖める加熱手段と、浴室内の空気を相対湿度に応じて排気する換気手段と、温水または冷水を浴室の相対湿度に応じて噴霧するミスト噴霧手段と、前記循環ファン、加熱手段、換気手段、ミスト噴霧手段を組み合わせて駆動し、乾燥運転、暖房運転、換気運転、涼風運転、ミストサウナ運転を行う駆動手段と、浴室内温度の検知を行う浴室温度検知手段と、浴室内相対湿度の検知を行う浴室相対湿度検知手段を備え、浴室内相対湿度が上昇方向にあるか、下降方向にあるか、平衡状態にあるかを駆動状態によって判定する浴室湿度傾向判定手段と、浴室湿度傾向判定手段が上昇方向または下降方向と判定した場合に浴室相対湿度検知手段により検知された相対湿度に補正を行う浴室相対湿度補正手段を備えたという構成にしたことにより、浴室湿度傾向判定手段は、駆動状態から判断するので、例えば換気運転を２時間行った後、ミストサウナ運転を開始した場合、低湿度状態から高湿度状態への変化であることが予測できるので、浴室湿度傾向が上昇方向と判定できる。また、ミストサウナ運転を１時間行った後で乾燥運転を開始した場合、高湿度状態から低湿度状態への変化であることが予測できるので、浴室湿度傾向が下降方向と判定できる。浴室相対湿度補正手段は、浴室湿度傾向判定手段が上昇方向または下降方向と判定した場合に、浴室相対湿度検知手段により検知された相対湿度を補正する。従って、浴室湿度を精度よく検出でき、また相対湿度の変化が瞬時にわかるので、応答性のよい湿度制御が可能であるという効果を得ることができる。
【図面の簡単な説明】
【００１２】
【図１】本発明の実施の形態１のミストサウナ装置の構成図
【図２】同ミストサウナ装置の制御ブロック図
【図３】運転モード毎の相対湿度の変化が認められる所定時間の図
【図４】浴室湿度傾向判定手段による判定内容を示す説明図
【図５】ミストサウナ運転での湿度制御による出力パターン例の図
【図６】乾燥運転での湿度制御による自動終了の説明図
【図７】従来のミストサウナ装置の構成図
【図８】湿度センサの温度に対する出力変化を示す温度特性図
【図９】湿度センサの湿度に対する出力変化を示すヒステリシス特性図
【発明を実施するための形態】
【００１３】
本発明の請求項１記載のミストサウナ装置は、浴室内の空気を循環するための循環風路内に設けた循環ファンと、浴室内を相対湿度に応じて暖める加熱手段と、浴室内の空気を相対湿度に応じて排気する換気手段と、温水または冷水を浴室の相対湿度に応じて噴霧するミスト噴霧手段と、前記循環ファン、加熱手段、換気手段、ミスト噴霧手段を組み合わせて駆動し、乾燥運転、暖房運転、換気運転、涼風運転、ミストサウナ運転を行う駆動手段と、浴室内温度の検知を行う浴室温度検知手段と、浴室内相対湿度の検知を行う浴室相対湿度検知手段を備え、浴室内相対湿度が上昇方向にあるか、下降方向にあるか、平衡状態にあるかを駆動状態によって判定する浴室湿度傾向判定手段と、浴室湿度傾向判定手段が上昇方向または下降方向と判定した場合に浴室相対湿度検知手段により検知された相対湿度に補正を行う浴室相対湿度補正手段を備えたという構成を有する。これにより、浴室湿度傾向判定手段は、駆動状態から判断するので、浴室湿度傾向が上昇方向か、下降方向か、平衡状態かを判定でき、浴室相対湿度補正手段は、浴室湿度傾向判定手段が上昇方向または下降方向と判定した場合に、浴室相対湿度検知手段により検知された相対湿度を補正することとなるので、浴室相対湿度を精度よく検知でき、また相対湿度の変化が瞬時にわかるので、応答性のよい湿度制御が可能であるという効果を奏する。
【００１４】
また、前記浴室相対湿度補正手段は、前記浴室湿度傾向判定手段により上昇方向と判定した場合は浴室相対湿度検知手段により検知された相対湿度を平衡状態と判定されるまでは高めに補正し、下降方向と判定した場合は浴室相対湿度検知手段により検知された相対湿度を平衡状態と判定されるまでは低めに補正するという構成としたものである。これにより、浴室相対湿度補正手段は、浴室湿度傾向判定手段により上昇方向と判定した場合に、浴室相対湿度検知手段により検知された相対湿度は、実際より低く検知されているので、高めに補正する。また、下降方向と判定した場合に、浴室相対湿度検知手段により検知された相対湿度は、実際より高く検知されているので、低めに補正することとなるので、浴室相対湿度を精度よく検知できるという効果を奏する。
【００１５】
さらに、前記駆動状態とは運転停止、乾燥運転、暖房運転、換気運転、涼風運転、ミストサウナ運転といった運転モードを指し、運転モード毎に相対湿度変化に対し変化が認められる所定時間の基準値を有し、前記浴室湿度傾向判定手段は運転モードの切り替え時に、切り替え前後の運転モードの組み合わせと、切り替え前の運転モードを所定時間以上運転したか前記基準値により判断し、浴室内相対湿度が上昇方向にあるか、下降方向にあるか、平衡状態にあるか判定を行い、また、切り替え後の運転モードの運転時間が所定時間以上経過した場合は平衡状態と判定するという構成としたものである。これにより、切り替え前後の運転モードの組み合わせと、切り替え前の運転モードの運転時間により浴室内相対湿度が上昇方向にあるか、下降方向にあるか、平衡状態にあるか判定でき、また、切り替え後の運転モードが平衡状態になったか所定時間の経過でわかるので、運転モードの切り替え時に瞬時にして相対湿度の変化がわかり、また、切り替え後の平衡状態もわかるという効果を奏する。
【００１６】
以下、本発明の実施の形態について図面を参照しながら説明する。
【００１７】
（実施の形態１）
図１に示すように、浴室１０１の天井部１０２に設置されたミストサウナ装置１０３は、本体筐体１０４内に取り込むための吸い込み口１０５と、本体筐体１０４内で加熱した空気を浴室１０１内に吹き出すための吹き出し口１０６と、浴室１０１内の空気を循環させる送風手段としての循環ファン１０７と、この循環ファン１０７で循環送風する空気を暖める加熱手段１０８と、浴室１０１の空気を屋外へ排出する換気手段としての換気ファン１０９と、吹き出し口１０６から吹き出す空気の方向を調整する風向変更手段としてのルーバ１１０と、浴室１０１内に温水または冷水を噴霧するミスト噴霧手段１１１と、ミスト噴霧手段１１１に配管を介して温水または冷水を供給する温水／冷水供給手段１１２と、浴室１０１内の温度を検知する浴室温度検知手段１１３と、浴室１０１内の相対湿度を検知する浴室相対湿度検知手段１１４と、運転動作や設定などの指示を行う遠隔操作装置１と、遠隔操作装置１の指示、浴室温度検知手段１１３、浴室相対湿度検知手段１１４の入力情報に応じて前記循環ファン１０７、加熱手段１０８、換気ファン１０９、ルーバ１１０、ミスト噴霧手段１１１を組み合わせて制御する制御手段２と、浴室内相対湿度が上昇方向にあるか、下降方向にあるか、平衡状態にあるかを駆動状態によって判定する浴室湿度傾向判定手段３と、浴室湿度傾向判定手段３が上昇方向または下降方向と判定した場合に浴室相対湿度検知手段１１４により検知された相対湿度に補正を行う浴室相対湿度補正手段４を備えている。
【００１８】
遠隔操作装置１は、浴室１０１内や台所、脱衣室などに設けられた有線方式または電波や光、その他媒体を利用した無線方式の制御手段２と双方向に通信可能なリモコンで、各操作スイッチの操作により制御手段２に運転モードや温度設定、湿度設定、風向設定などの指令を行うこととなる。遠隔操作装置１には、換気運転モードを指令する換気運転スイッチ、涼風運転モードを指令する涼風運転スイッチ、乾燥運転モードを指令する乾燥運転スイッチ、暖房運転モードを指令する暖房運転スイッチ、ミストサウナ運転モードを指令するミストサウナ運転スイッチ、運転を停止する停止スイッチ、風向の設定を行う風向設定スイッチなどが設けられている。
【００１９】
換気運転は、循環ファン１０７を停止させ、加熱手段１０８を停止させるとともに、換気ファン１０９を作動させ、浴室１０１内から吸引した空気を排気ダクトを通して屋外に排気するようにしている。このため運転を継続すると相対湿度は下降する。
【００２０】
涼風運転は、加熱手段１０８を停止させ、循環ファン１０７を作動させるとともに、換気ファン１０９を作動させて、浴室１０１内の空気の一部を吸引して排気ダクトを通して屋外に排気させながら、吸い込み口１０５から吸い込まれた浴室１０１の空気が加熱手段１０８により加熱されることなく、循環ファン１０７により循環送風され、吹き出し口１０６から浴室１０１内に吹き出すようにしている。浴室１０１内の空気を循環させながら換気することになるので、相対湿度は換気運転よりも早く下降する。
【００２１】
乾燥運転は、前記循環ファン１０７を作動させ、浴室１０１内の温度が乾燥用の設定温度範囲に維持されるように、加熱手段１０８を作動させ、換気ファン１０９を作動させて、浴室１０１内の空気の一部を吸引して排気ダクトを通して屋外に排気させながら、吸い込み口１０５から吸い込まれた浴室１０１の空気が加熱手段１０８により加熱され、循環ファン１０７により循環送風され、吹き出し口１０６から浴室１０１内に吹き出すようにしている。浴室１０１内を温風で循環し乾燥させつつ、換気することになるので相対湿度は換気運転、涼風運転よりも早く下降する。
【００２２】
暖房運転は、換気ファン１０９を停止させ、循環ファン１０７を浴室１０１内に通風される空気の通風量が暖房用の通風量となるよう作動させるとともに、浴室１０１内の温度が設定温度に維持されるように、吸い込み口１０５から吸い込まれた浴室１０１の空気が加熱手段１０８により加熱され、循環ファン１０７により循環送風され、吹き出し口１０６から浴室１０１内に吹き出すようにしている。暖房運転が使用されるのは主に入浴前であり、浴槽にお湯張りがなされているため相対湿度は上昇方向である。
【００２３】
ミストサウナ運転は、換気ファン１０９を停止させ、循環ファン１０７を浴室１０１内に通風される空気の通風量がミストサウナ用の通風量となるよう作動させるとともに、浴室１０１内の温度が設定温度に維持されるように、吸い込み口１０５から吸い込まれた浴室１０１の空気が加熱手段１０８により加熱され、循環ファン１０７により循環送風され、吹き出し口１０６から浴室１０１内に吹き出すようにしている。また、ミスト噴霧手段１１１を作動させることにより加湿され、浴室１０１内に吹き出すようにしている。浴室１０１内へ直接加湿を行っているため相対湿度は上昇する。
【００２４】
制御手段２は、マイクロコンピュータなどを利用した制御基板により、図２に示すように循環ファン１０７、加熱手段１０８、換気ファン１０９、ルーバ１１０、ミスト噴霧手段１１１の動作指示を作成する運転指令作成手段５と、運転指令作成手段５からの運転指示をリレーのＯＮ／ＯＦＦや角度指示電圧、回転数指令電圧などに変換して、循環ファン１０７、加熱手段１０８、換気ファン１０９、ルーバ１１０、ミスト噴霧手段１１１を駆動する駆動手段１１５と、前記浴室相対湿度検知手段１１４の温度依存性を補正する温度補正手段６と、前記浴室湿度傾向判定手段３と、前記浴室相対湿度補正手段４と、運転モードと運転時間を管理する駆動状態管理手段７から構成される。
【００２５】
浴室湿度傾向判定手段３は、図３に示す運転モード毎の相対湿度の変化が認められる所定時間の基準値を有しており、後述する駆動状態管理手段７から得られる前回の運転モード、前回の運転時間、今回の運転モード、今回の運転時間から図４に示す運転モードの切り替え時と、切り替え後において所定時間以上経過したか前記基準値により判断し、相対湿度の変化が上昇方向、下降方向、平衡状態の判定を行う。
【００２６】
浴室相対湿度補正手段４は、前記浴室湿度傾向判定手段３の判定結果である相対湿度変化の上昇方向、下降方向、平衡状態に応じて、上昇方向であれば高めに補正、下降方向であれば低めの補正、平衡状態であれば補正なしという処理である。後述の温度補正手段６、浴室湿度傾向判定手段３、浴室相対湿度補正手段４を経て、浴室湿度が検知される構成となっている。
【００２７】
運転指令作成手段５は、遠隔操作装置１の操作により指示された運転モード、温度設定、湿度設定、風向設定と、浴室温度検知手段１１３から検知される浴室温度、前記浴室相対湿度検知手段１１４から後述する温度補正手段６、浴室湿度傾向判定手段３、浴室相対湿度補正手段４を介して検知される浴室湿度に応じて、前記循環ファン１０７、加熱手段１０８、換気ファン１０９、ルーバ１１０、ミスト噴霧手段１１１の動作指示を作成する。動作指示とは循環ファン１０７への回転数指令、加熱手段１０８への動作指令、換気ファン１０９への回転数指令、ルーバ１１０への風向角度指令、ミスト噴霧手段１１１への動作指令のことである。
【００２８】
温度補正手段６は、浴室温度検知手段１１３から検知される浴室温度、浴室相対湿度検知手段１１４から検知される浴室湿度から図８に示すように浴室温度に応じた浴室湿度データが用意される。
【００２９】
駆動状態管理手段７は、前回の運転モード、前回の運転時間、今回の運転モード、今回の運転時間の管理を行う。遠隔操作装置１の運転モード指示を受けて運転モードの移行を監視する運転移行管理手段（図示せず）が運転モード移行の発生を検知すると、今回から前回へ運転モードと運転時間をマイクロコンピュータの内蔵ＲＡＭなどへ保存し、今回の運転モードが更新され、今回の運転時間の計測が運転時間計測手段（図示せず）により開始され、他の運転モードへ変更されるまで随時加算される処理となっている。
【００３０】
循環ファン１０７は、クロスフローファンやシロッコファンなどである。
【００３１】
加熱手段１０８は、給湯装置などを介して温水の循環供給を受ける熱交換器を利用するもの、あるいは、ＰＴＣヒータなどのヒータで構成する。
【００３２】
換気ファン１０９は、シロッコファンなどである。
【００３３】
ルーバ１１０は、吹き出し口１０６付近に浴室１０１内への風向を調節するための風向変更手段として備えられ、ルーバ１１０を任意の角度に移動するステッピングモータ（図示せず）により角度調節が可能となっている。
【００３４】
ミスト噴霧手段１１１は、配管を介してノズル部分へ温水／冷水供給手段１１２により供給される温水／冷水を断続する開閉弁から構成され、開閉弁の開閉によりミスト噴霧のＯＮ／ＯＦＦが制御される。
【００３５】
温水／冷水供給手段１１２は、給湯装置などである。
【００３６】
浴室温度検知手段１１３は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００３７】
浴室相対湿度検知手段１１４は、高分子抵抗式もしくは高分子容量式の湿度センサである。
【００３８】
浴室湿度傾向判定手段３の判定内容について、図３、図４を参照しながら説明する。
【００３９】
図３は、運転モード毎の相対湿度の変化が認められる所定時間の基準値を示している。所定時間が運転モード毎に異なるのは先述したように運転モードによって駆動される内容により相対湿度の変化度合いが異なるからである。
【００４０】
次に図４について説明する。図４は運転モードの切り替え時と、切り替え後の相対湿度の変化が上昇方向、下降方向、平衡状態の判定を行う組み合わせである。ここでいう平衡状態というのは図９の実線で示した本来の特性になるということである。まず、運転モードの切り替え時について一例を挙げながら説明する。換気運転からミストサウナ運転を行った場合、切り替え時は運転モードの前回、今回と前回運転時間が所定時間以上だったかどうかで判定される。換気運転を所定時間（３０分）以上行った場合は相対湿度の変化が認められ、浴室に直接加湿する運転であるミストサウナ運転であるので、図９のような低湿度から高湿度の変化であると予測できるため上昇方向と判定される。下降方向、平衡状態の場合も同様の考え方で判定するので詳細な説明は省略する。次に、運転モードの切り替え後について説明する。前回換気運転３０分以上行ってからミストサウナ運転への移行の場合、ミストサウナ運転の所定時間（１０分）未満は前回次第となり、従って上昇方向と判定される。所定時間（１０分）以上経過すると、浴室相対湿度検知手段１１４の感湿素子の反応が追いつくため相対湿度の変化は平衡状態にあると判定される。
【００４１】
次に、浴室相対湿度補正手段４について説明する。浴室湿度傾向判定手段３の判定結果である相対湿度変化の上昇方向、下降方向、平衡状態に応じて上昇方向であれば高めに補正、下降方向であれば低めの補正、平衡状態であれば補正なしという処理であり、補正値については図９に示す相対湿度変化に対するヒステリシス特性３〜５％ＲＨ、切り替え時の浴室相対湿度検知手段１１４の応答遅れが解消されればよいので、上昇方向と判定された場合は、運転モード毎の相対湿度の変化が認められる所定時間内は一律３％ＲＨの加算とし、下降方向と判定された場合は、運転モード毎の相対湿度の変化が認められる所定時間内は一律３％ＲＨの減算とする。
【００４２】
次に、浴室相対湿度補正手段４により補正された浴室湿度を使った湿度制御の一例としてミストサウナ運転での湿度制御について図５を参照しながら説明する。
【００４３】
図５に示すように遠隔操作装置１の操作により決定される目標浴室温度、目標浴室湿度に応じて運転指令作成手段５により、循環ファン１０７の目標回転数、加熱手段１０８のＯＮ／ＯＦＦ、換気ファン１０９の目標回転数の出力パターンが決定される。目標浴室温度は加熱手段１０８のＯＮと循環ファンの回転数の増減により浴室に送風する熱量で制御している。浴室湿度はミスト噴霧手段１１１のＯＮ／ＯＦＦの割合で制御している。また、目標浴室湿度に応じて循環ファン１０７の目標回転数が若干異なるのは加湿された空気の温度分布の良さを活かすためにできるだけ早く均一に循環させるためであり、騒音に感じない範囲での制御が望ましい。このデータテーブルに従って制御することにより目標とする温度、湿度で制御されることとなる。図５で決定される目標に対し、目標浴室温度と浴室温度検知手段１１３により検知された浴室温度の差に応じて、例えば浴室温度の方が低い場合は、循環ファン１０７への回転数指令電圧を上げる、逆に高い場合は循環ファン１０７への回転数指令電圧を下げるといったフィードバック制御がなされることで、目標浴室温度へ近づけることとなる。また、目標浴室湿度と浴室相対湿度検知手段１１４、温度補正手段６、浴室湿度傾向判定手段３、浴室相対湿度補正手段４により検知された浴室湿度との差に応じて、例えば浴室湿度の方が低い場合は、ミスト噴霧手段１１１へのＯＮ／ＯＦＦの割合を上げる、逆に高い場合はミスト噴霧手段１１１へのＯＮ／ＯＦＦの割合を下げるといったフィードバック制御がなされることで、目標浴室湿度へ近づけることとなる。
【００４４】
また、別の事例として乾燥運転での浴室乾燥状態を検知して自動で終了する例について、図６を参照しながら説明する。図６に示すように、乾燥運転を開始すると相対湿度が低下していき、ある相対湿度でほぼ一定になることが実験により分かっている。概ね３０〜４０％ＲＨで一定となる。その変化を利用して、相対湿度が４０％ＲＨ未満となった場合にＴ分間監視するタイマをスタートさせる。Ｔ分間４０％ＲＨ未満の状態が継続したら浴室は乾燥していると判断し、制御手段２の運転指令作成手段５を介して運転停止動作を行うことで自動終了することとなる。Ｔ分については２０分〜４０分が望ましい。また、ルーバ１１０は浴室内に温風が効率よく循環する角度に設定されていることが望ましい。
【００４５】
このような構成によれば、浴室内の空気を循環するための循環風路内に設けた循環ファンと、浴室内を相対湿度に応じて暖める加熱手段と、浴室内の空気を相対湿度に応じて排気する換気手段と、温水または冷水を浴室の相対湿度に応じて噴霧するミスト噴霧手段１１１と、前記循環ファン１０７、加熱手段１０８、換気ファン１０９、ミスト噴霧手段１１１を組み合わせて駆動し、乾燥運転、暖房運転、換気運転、涼風運転、ミストサウナ運転を行う駆動手段１１５と、浴室内温度の検知を行う浴室温度検知手段１１３と、浴室内相対湿度の検知を行う浴室相対湿度検知手段１１４を備え、浴室内相対湿度が上昇方向にあるか、下降方向にあるか、平衡状態にあるかを駆動状態によって判定する浴室湿度傾向判定手段３と、浴室湿度傾向判定手段３が上昇方向または下降方向と判定した場合に浴室相対湿度検知手段１１４により検知された相対湿度に補正を行う浴室相対湿度補正手段４を備えたことにより、浴室湿度傾向判定手段３は、駆動状態から判断するので、浴室湿度傾向が上昇方向か、下降方向か、平衡状態かを判定でき、浴室相対湿度補正手段４は、浴室湿度傾向判定手段３が上昇方向または下降方向と判定した場合に、浴室相対湿度検知手段１１４により検知された相対湿度を補正することとなり、浴室相対湿度を精度よく検知でき、また相対湿度の変化が瞬時にわかるので、応答性のよい湿度制御が可能とすることができる。
【００４６】
なお、実施の形態において、浴室相対湿度補正手段４の補正について運転モード毎の所定時間内は一律３％の加減補正としたが、経過時間に応じて補正値が小さくなるようにする方がより望ましい。
【００４７】
なお、実施の形態において、浴室湿度をミスト噴霧手段１１１のＯＮ／ＯＦＦの割合で制御するとしたが、温水／冷水供給手段１１２に温度調節弁（図示せず）を設け、ミスト噴霧温度による制御としてもよく、その作用効果に差異を生じない。
【産業上の利用可能性】
【００４８】
本発明にかかるミストサウナ装置は、浴室相対湿度を精度よく検知でき、また相対湿度の変化が瞬時にわかるので、応答性のよい湿度制御を可能とするものであるので、浴室のみに限らず、ビニルハウスなど屋内にて湿度制御が必要とされる箇所への空気調和装置や湿度制御装置等として有用である。
【符号の説明】
【００４９】
１  遠隔操作装置
２  制御手段
３  浴室湿度傾向判定手段
４  浴室相対湿度補正手段
５  運転指令作成手段
６  温度補正手段
７  駆動状態管理手段
１０１  浴室
１０２  天井部
１０３  ミストサウナ装置
１０４  本体筐体
１０５  吸い込み口
１０６  吹き出し口
１０７  循環ファン
１０８  加熱手段
１０９  換気ファン
１１０  ルーバ
１１１  ミスト噴霧手段
１１２  温水／冷水供給手段
１１３  浴室温度検知手段
１１４  浴室相対湿度検知手段
１１５  駆動手段
【図１】
2014161471.tif 000003
【図２】
2014161471.tif 000004
【図３】
2014161471.tif 000005
【図４】
2014161471.tif 000006
【図５】
2014161471.tif 000007
【図６】
2014161471.tif 000008
【図７】
2014161471.tif 000009
【図８】
2014161471.tif 000010
【図９】
2014161471.tif 000011